(57)【要約】【課題】  品物の出し入れが容易になるよう蓋を開いた状態に固定でき、蓋に取り付け易いだけではなく、取り外し操作も容易になるよう形成した使い勝手の良い段ボール箱の蓋固定用具を提供する。【解決手段】  一定の間隔をあけて平行に配置すると共に、上部１を連結している内側部材２と外側部材３で平面視鉤形状に形成する。内側部材２又は外側部材３の少なくとも一方の下部２ａ、３ａを、下方になるに連れ外側に張り出して末広がり状に形成する。本発明は、開いた蓋４ａが平面視で鉤形を作る隅の位置に、隣り合う蓋４ａにわたって差し込み、蓋４ａを開いた状態に固定する。【選択図】      図１
2007168828.tif 000002
【特許請求の範囲】
【請求項１】
一定の間隔をあけて平行に配置されると共に、上部が連結されている内側部材と外側部材で平面視鉤形状に形成され、開かれた蓋が平面視で鉤形を作る隅の位置に、隣り合う蓋にわたって差し込まれ、蓋を開いた状態に固定する段ボール箱の蓋固定用具であって、上記の内側部材又は外側部材の少なくとも一方の下部が、下方になるに連れ外側に張り出されて末広がり状に形成されていることを特徴とする段ボール箱の蓋固定用具。
【請求項２】
請求項１記載の段ボール箱の蓋固定用具であって、上部の内側に、縦断面クランク形の段差が形成され、この段差の垂直面と、この垂直面と対向する内面との間隔が、段ボール箱を形成する板紙の厚さに選定されていることを特徴とする段ボール箱の蓋固定用具。
【請求項３】
一定の間隔をあけて平行に配置されると共に、上部が連結されている内側部材と外側部材で平面視鉤形状に形成され、開かれた蓋が平面視で鉤形を作る隅の位置に、隣り合う蓋にわたって差し込まれ、蓋を開いた状態に固定する段ボール箱の蓋固定用具であって、上記の内側部材と外側部材とが、屈曲された金属線材で枠状に形成されていることを特徴とする段ボール箱の蓋固定用具。
【発明の詳細な説明】
【技術分野】
【０００１】
本発明は段ボール箱の蓋固定用具に関し、更に詳しくは品物の出し入れが容易になるよう蓋を開いた状態に固定できるよう形成した段ボール箱の蓋固定用具に関するものである。
【背景技術】
【０００２】
従来この種の用具としては、平面視で鉤形状の内側部材と、この内側部材より縦方向の長さが短く形成されている平面視で鉤形状の外側部材とで、縦断面が逆Ｕ字形に形成されているものがある（例えば特許文献１参照）。
【０００３】
ところでこの種の用具は、品物を箱に出し入れすることが容易になる点で便利なものであるが、蓋に差し込んで蓋を固定するときや、固定後に蓋から取り外す操作を簡単にできないと、使い勝手が悪くなる。従ってこの種の用具は、蓋を開いた状態に固定できるだけではなく、蓋に対する着脱操作が容易になるよう形成されているのが望ましい。
しかるに従来品は、差し込み操作を容易にするためのガイド部材を有するのに止まり、取り外し操作については特に対策が施されていなかった。即ち従来品の場合は、例えば蓋から取り外すとき、手掛かりが少なく、また内側部材、外側部材の外面を摘むと滑り易かったから、従来品によると抜き取り操作がし難い、という問題点があった。
而して段ボール箱は、板紙の厚さが種々異なるのが通例である。従って段ボール箱の蓋を固定するこの種の用具は、板紙の厚さが異なる場合でも、ガタつくことなく、ピタッとフィットして押さえることができるよう形成されているのが望ましい。
しかるに従来品は、単に箱の隅に差し込んで蓋を押さえることができるのに止まるものであった。従って従来品によると、蓋の復元力でこの種の用具が次第に持ち上がって外れ、使用中に抜け落ちる場合があった。
【特許文献１】特開２００２−９６８１６号公報
【発明の開示】
【発明が解決しようとする課題】
【０００４】
本発明は、このような従来品の問題点に鑑み、提案されたものである。
従って本発明の解決しようとする技術的課題は、品物の出し入れが容易になるよう蓋を開いた状態に固定でき、蓋に取り付け易いだけではなく、取り外し操作も容易になるよう形成した使い勝手の良い段ボール箱の蓋固定用具を提供することにある。
また本発明は、このような着脱操作の容易な蓋固定用具において、紙厚が異なる場合でも、ガタつくことなくフィットして蓋を固定できるよう形成した蓋固定用具を提供することにある。
【課題を解決するための手段】
【０００５】
本発明は、上記の課題を解決するため、次のような技術的手段を採る。
即ち本発明は、図１等に示されるように、一定の間隔をあけて平行に配置されると共に、上部１が連結されている内側部材２と外側部材３で平面視鉤形状に形成され、開かれた蓋４ａが平面視で鉤形を作る隅の位置に、隣り合う蓋４ａにわたって差し込まれ、蓋４ａを開いた状態に固定する段ボール箱４の蓋固定用具であって、上記の内側部材２又は外側部材３の少なくとも一方の下部２ａ、３ａが、下方になるに連れ外側に張り出されて末広がり状に形成されていることを特徴とする（請求項１）。
【０００６】
本発明品の形成材料としては、例えば合成樹脂材や、金属材等がある。ここで、外側に張り出されて末広がり状に形成される、とは、下部２ａ、３ａを、傾斜状や、外側に反り返すことにより実現される。この場合、下部２ａ、３ａの傾斜角度、湾曲率、末広がりに形成する部分の長さは、任意である。末広がりに形成する下部２ａ、３ａは、内側部材２又は外側部材３の何れか一方、或いは両方でも良い。
【０００７】
而して本発明の蓋固定用具は、上部１の内側に、縦断面クランク形の段差５が形成され、この段差５の垂直面５ａと、この垂直面５ａと対向する内面６との間隔が、段ボール箱４を形成する板紙の厚さに選定されているのが好ましい（請求項２）。
なぜならこれによると、段ボール箱４の紙厚が異なる場合でも、ピタッとフィットした状態で差し込み、抜け落ちることなく、確実に固定できるからである。
【０００８】
また本発明の課題を達成する他の構成としては、図１２に示されるものがある。
即ちこの本発明は、一定の間隔をあけて平行に配置されると共に、上部１が連結されている内側部材２と外側部材３で平面視鉤形状に形成され、開かれた蓋４ａが平面視で鉤形を作る隅の位置に、隣り合う蓋４ａにわたって差し込まれ、蓋４ａを開いた状態に固定する段ボール箱４の蓋固定用具であって、上記の内側部材２と外側部材３とが、屈曲された金属線材８で枠状に形成されていることを特徴とする（請求項３）。
【０００９】
この本発明の場合は、蓋４ａの内外面や上側に金属線材８が線状に露出し、手指を掛ける箇所が多数生じる。従ってその分、取り外しが容易になる。ここで、金属線材８としては、例えば直径が３〜６（ｍｍ）程度の針金がある。この金属線材８は、装着時に、蓋４ａの復元力に抗して屈曲形状を保持できる硬性を有するものであれば、太さ、金属の種類、被覆の有無などは任意である。而してこの本発明の場合は、１本の金属線材８で、繋ぎのない一筆書き状に形成されているのが良い。なぜならこれによると、連結用の部材や、ロー付け、溶接等の連結作業を一掃でき、製造、加工を簡単化でき、軽量化、低コスト化を図ることができるからである。
【発明の効果】
【００１０】
本発明は、このように内側部材又は外側部材の少なくとも一方の下部を、下方になるに連れ外側に張り出して末広がり状に形成しているものである。
従って本発明によれば、蓋を開いた状態に押さえて固定でき、蓋に差し込み易くなり、また下端に手指を掛けて容易に取り外すことができる。
また請求項３記載の本発明の場合は、金属線材によるため多少の変形が容易になり、蓋の内外面に露出する金属線材に手掛かり箇所が多数発生する。従ってこれによれば、蓋を開いた状態に押さえて固定でき、蓋に差し込み易くなるだけではなく、手指を掛ける箇所が多いため、金属線材に手指を掛けて容易に取り外すことができる。
【発明を実施するための最良の形態】
【００１１】
以下、本発明を実施するための最良の形態を説明する。
本発明品は、図１等に示されるように、一定の間隔をあけて平行に配置されると共に、上部１が連結されている内側部材２と外側部材３で平面視鉤形状に形成されている。この実施形態に係る本発明品は、合成樹脂材で一体成形され、上記の内側部材２と外側部材３の下部２ａ、３ａは、夫々下方になるに連れ外側に張り出されて末広がり状に形成されている。
【００１２】
４は、段ボール箱である。この実施形態では、段ボール箱４の開かれた蓋４ａが起立されている。本発明品は、この起立状の蓋４ａが平面視で鉤形を作る隅の位置に、隣り合う蓋４ａにわたって差し込まれ、蓋４ａを開いた状態に固定するものである。
【００１３】
次に本発明品の使用例を説明する。
先ず使用者は、段ボール箱４の蓋４ａを開いて立ち上げ、隣り合う蓋４ａ同士が鉤形に作る隅に、本発明品を差し込む。この場合本発明品は、下部２ａ、３ａが、下方になるに連れ外側に張り出されて末広がり状に形成されているから、蓋４ａの上端縁に、内側部材２と外側部材３の下部２ａ、３ａの内面が接触して導かれ、円滑に差し込むことができる。なおこの実施形態では、箱４の四隅に本発明品が差し込まれているが、本発明は、例えば箱４の対角線上の隅に、２箇所だけ差し込んで蓋４ａを固定するのでも良い。
【００１４】
また本発明品は、上記の通り、下部２ａ、３ａが、外側に張り出されて末広がり状に形成されているから、抜き取るときは、図６に示されるように、下端に手指を掛けることができ、抜き取り易いものである。
なお本発明品は、起立状の蓋４ａに差し込むのに代え、蓋４ａを箱４の外側面に沿わせて折り返し、折り返された蓋４ａの上端部と、箱本体の側壁の上端部の位置に差し込み、蓋４ａを箱本体に、本発明品で固定するのでも良い。
【００１５】
以上の処において、本発明の蓋固定用具は、図７に示されるように、上部１の内側に、縦断面クランク形の段差５が形成され、この段差５の垂直面５ａと、この垂直面５ａと対向する内面６との間隔が、段ボール箱４を形成する板紙の厚さに選定されているのでも良い。
【００１６】
上記の段差５は、この実施形態では３段状に形成されている。板紙が薄い場合は、図８に示されるように、最上段の段差５の垂直面５ａと、例えば内側部材２の内面６とが作る隙間に蓋４ａの上端４ｂが差し込まれ、段差５の上面５ｂに当接して係合する。また図９に示されるように、中厚の板紙の場合は、中段の段差５の垂直面５ａと、内側部材２の内面６とが作る隙間に蓋４ａの上端４ｂが差し込まれ、段差５の上面５ｂに当接して係合する。また図１０に示されるように、板紙が厚い場合は、最下段の段差５の垂直面５ａと、内側部材２の内面６とが作る隙間に蓋４ａの上端４ｂが差し込まれ、段差５の上面５ｂに当接して係合する。
なおこの実施形態に係る本発明品は、上部１の外面が、内側の段差５に対応して段差状に形成されているが、上部１の外面形状はこれに限られず、例えば図１に示されるように、平行な垂直面状に形成されるので良い。
【００１７】
また本発明は、図１１に示されるように、内側部材２と外側部材３の、両方又は何れか一方の内面６に、凸状の段差部７が形成され、この段差部７を蓋４ａにしっかり係合させ、固定状態が堅固になるよう形成されているのでも良い。段差部７としては、例えば断面半円形状の突起や、縦又は横向きの突条等がある。
【００１８】
次に請求項３記載の本発明の好適な一実施形態を、図１２に従って説明する。
この本発明は、図示されるように、一定の間隔をあけて平行に配置されると共に、上部１が連結されている内側部材２と外側部材３で平面視鉤形状に形成され、開かれた蓋４ａが平面視で鉤形を作る隅の位置に、隣り合う蓋４ａにわたって差し込まれ、蓋４ａを開いた状態に固定する段ボール箱４の蓋固定用具であって、上記の内側部材２と外側部材３とが、この実施形態では屈曲された１本の金属線材８で枠状に、且つ繋ぎのない一筆書き状に形成されている。
【００１９】
内側部材２の箇所は、金属線材８が平面視で鉤形に曲げられると共に、両端が立ち上げられ、同様に形成される外側部材３の箇所と、両端の上部１が連ねられている。従って蓋４ａは、本発明品の両端の逆Ｕ字形に屈曲された箇所９で連結固定され、鉤形の線状に形成される内側部材２と外側部材３の位置で、内外面が押さえられて固定される。
なおこの本発明品を蓋４ａから取り外すときは、蓋４ａの内外面を押えている線状の内側部材２、外側部材３の位置や、上部１に手指を掛けて引き上げることで、簡単に蓋４ａから抜脱できる。
【図面の簡単な説明】
【００２０】
【図１】本発明の蓋固定用具の好適な一実施形態を示す使用状態時の斜視図である。
【図２】同上蓋固定用具の使用状態時の平面図である。
【図３】同上蓋固定用具の使用状態時の正面図である。
【図４】図２のＩＶ−ＩＶ線における要部断面図である。
【図５】図２のＶ−Ｖ線における要部断面図である。
【図６】同上蓋固定用具の作用を説明するための斜視図である。
【図７】同上蓋固定用具の他の実施形態を示す斜視図である。
【図８】図７に係る本発明の使用状態時の要部断面図である。
【図９】図７に係る本発明の使用状態時の要部断面図である。
【図１０】図７に係る本発明の使用状態時の要部断面図である。
【図１１】本発明の他の実施形態を示す使用状態時の要部断面図である。
【図１２】本発明の他の構成を示す使用状態時の要部斜視図である。
【符号の説明】
【００２１】
１      上部
２      内側部材
２ａ    下部
３      外側部材
３ａ    下部
４      段ボール箱
４ａ    蓋
【図１】
2007168828.tif 000003
【図２】
2007168828.tif 000004
【図３】
2007168828.tif 000005
【図４】
2007168828.tif 000006
【図５】
2007168828.tif 000007
【図６】
2007168828.tif 000008
【図７】
2007168828.tif 000009
【図８】
2007168828.tif 000010
【図９】
2007168828.tif 000011
【図１０】
2007168828.tif 000012
【図１１】
2007168828.tif 000013
【図１２】
2007168828.tif 000014